(57)【要約】【課題】  複数のパネルを連結して構成されるローパーティションであって、素人であっても簡単に据え付けることが出来、コストも安いローパーティションの提供。【解決手段】  パネル１ａ，１ｂは金属製の両縦桟３，３と複数の横桟４，４・・にて枠組みした枠体にボードを嵌めたものである。縦桟３の側面開口には樹脂製のキャップ１５を取付け、そしてパネル１ａ，１ｂを直線状に突合せたパネル連結部の下端には直線状の下連結金具８及び上端には直線状の上連結金具７を取付け、上下連結金具７，８の各片先端には係止ツメ９，９を形成すると共に該係止ツメ９，９をパネルに設けた溝１０，１０・・に嵌め、上連結金具７はネジ止めされ、下連結金具８にはアジャスターネジ６，６が取付けられ、更にパネル先端の縦桟下端に取付けたキャップ１３，１３にもアジャスター６，６を取り付けている。【選択図】    図３
2005188166.tif 000002
【特許請求の範囲】
【請求項１】
複数のパネルを連結して構成されるローパーティションにおいて、パネルは金属製の両縦桟と複数の横桟にて枠組みした枠体にボードを嵌めたもので、縦桟の側面開口には樹脂製のキャップを取付けると共にキャップ面は縦桟より僅かに外側へ突出し、そしてパネルを直線状に突合せたパネル連結部の下端には直線状の下連結金具及び上端には直線状の上連結金具を取付け、上下連結金具の各片先端には係止ツメを形成すると共に該係止ツメをパネルに設けた溝に嵌め、上連結金具はネジ止めされ、下連結金具にはアジャスターネジが取付けられ、更にパネル先端の縦桟下端に取付けたキャップにもアジャスターを取り付けたことを特徴とするローパーティション。
【請求項２】
複数のパネルを連結して構成されるローパーティションにおいて、パネルは金属製の両縦桟と複数の横桟にて枠組みした枠体にボードを嵌めたもので、縦桟の側面開口には樹脂製のキャップを取付けると共にキャップ面は縦桟より僅かに外側へ突出し、そしてパネルをＬ型に突合せたパネル連結部の下端にはＬ型の下連結金具及び上端にはＬ型の上連結金具を取付け、上下連結金具の各片先端には係止ツメを形成すると共に該係止ツメをパネルに設けた溝に嵌め、上連結金具はネジ止めされ、下連結金具にはアジャスターネジが取付けられ、更にパネル先端の縦桟下端に取付けたキャップにもアジャスターを取り付けたことを特徴とするローパーティション。
【請求項３】
複数のパネルを連結して構成されるローパーティションにおいて、パネルは金属製の両縦桟と複数の横桟にて枠組みした枠体にボードを嵌めたもので、縦桟の側面開口には樹脂製のキャップを取付けると共にキャップ面は縦桟より僅かに外側へ突出し、そしてパネルをＴ型に突合せたパネル連結部の下端にはＴ型の下連結金具及び上端にはＴ型の上連結金具を取付け、上下連結金具の各片先端には係止ツメを形成すると共に該係止ツメをパネルに設けた溝に嵌め、上連結金具はネジ止めされ、下連結金具にはアジャスターネジが取付けられ、更にパネル先端の縦桟下端に取付けたキャップにもアジャスターを取り付けたことを特徴とするローパーティション。
【請求項４】
複数のパネルを連結して構成されるローパーティションにおいて、パネルは金属製の両縦桟と複数の横桟にて枠組みした枠体にボードを嵌めたもので、縦桟の側面開口には樹脂製のキャップを取付けると共にキャップ面は縦桟より僅かに外側へ突出し、そしてパネルを十字型に突合せたパネル連結部の下端には十字型の下連結金具及び上端には十字型の上連結金具を取付け、上下連結金具の各片先端には係止ツメを形成すると共に該係止ツメをパネルに設けた溝に嵌め、上連結金具はネジ止めされ、下連結金具にはアジャスターネジが取付けられ、更にパネル先端の縦桟下端に取付けたキャップにもアジャスターを取り付けたことを特徴とするローパーティション。
【発明の詳細な説明】
【技術分野】
【０００１】
本発明は組立てが簡単で、素人であっても組立て可能なローパーティションに関するものである。
【背景技術】
【０００２】
大きな建物空間を仕切る為に間仕切り装置が多用されている。間仕切り装置にもその形態は色々あるが、一般的には床レールに配置されたアジャスターにて適度な高さに支えられた巾木にパネルが載って配置され、パネル上端は天井レールに嵌って固定され、そしてパネル側端は床レールから垂直に起立するスタッドに止着されている。止着方法はネジ止めであったり、又ツメを介して引掛ける構造と成っている。
【０００３】
そして間仕切り装置によって仕切られた部屋空間の中では、私的な小さな空間を作る為のローパーティションが使用される場合が多い。このローパーティションの形態も、使用目的に応じて多種多様化していると共に、その連結構造は複雑化しているために、素人では組み立てることは出来ない。従って、専門の業者が据付作業を行っているのが一般的である。
【０００４】
特開２０００−２２０２３９号に係る「ローパーティションのパネル連結構造」は、一方のパネル面に対して他方のパネルを垂直に連結する場合、連結部にスタッドを介在することなく、又繋がれる他方のパネル位置を自由に変えることが出来るようにしている。そこで、ポスト上端のカギをパネル上端に係止すると共に、ポスト下端はコ型金具にてパネル下端に止着することでポストを一方のパネルに取着し、そしてポスト正面に形成したスリット溝に他方のパネル側端に設けているツメを係止する。
【０００５】
特開平１０−３０６５２８号に係る「ローパーティションのパネル連結構造」は、スタッドを用いることなく簡単な構造でパネルを連結することが出来るものであり、パネル上端には連結具を取付け、下端部には側端溝に取付けた連結金具に他方のパネル側に止着したビスの頭を係止して連結する。
【０００６】
その他、特開平１０−２１２７７６号に係る「パネル連結構造」など、色々知られている。しかし、これら従来のローパーティションの構造は比較的簡単であるが、素人では据付が容易でない。
【特許文献１】特開２０００−２２０２３９号に係る「ローパーティションのパネル連結構造」
【特許文献２】特開平１０−３０６５２８号に係る「ローパーティションのパネル連結構造」
【発明の開示】
【発明が解決しようとする課題】
【０００７】
従来のローパーティションの形態は色々あり、パネルを一直線状に連結した最も簡単な構造であっても全くの素人ではこの据付をすることは困難である。本発明が解決しようとする課題はこの問題点であり、素人が手軽に据え付け出来るローパーティションを提供する。
【課題を解決するための手段】
【０００８】
本発明に係るローパーティションは、パネル及び該パネルを連結する為の下連結金具と上連結金具、そしてパネルを適度な高さに支える為のアジャスターネジで構成している。上記上連結金具及び下連結金具は、ローパーティションの形態に応じて、直線状金具、Ｌ型金具、Ｔ型金具、十型金具などが用いられている。そして、上下連結金具の各片先端には垂直に屈曲した係止ツメを有し、該係止ツメはパネルの上端及び下端に設けた溝に嵌る。
【０００９】
従って、互いに連結されるパネルの間に介在した上下連結金具の係止ツメは溝に嵌り、該上下連結金具が外れないようにネジ止めされる。下連結金具の場合には、止めネジの代わりに高さ調整機能を備えたアジャスターを取付けることが出来る。ところで、パネルは両縦桟と複数の横桟にて枠組みされた枠体にボードを嵌めて構成され、上記縦桟の側端は開口し、該開口には樹脂製のキャップが取付けられている。
【００１０】
そこで、パネルが連結される場合には、該樹脂製キャップが隣り合うパネルのキャップ、又は縦桟の側面に当接して配置され、上記上下連結金具によって連結される。そして、ローパーティションの先端側であって連結金具が取付けられないパネルの縦桟下端に設けたキャップにはアジャスターネジが取付けられて支持することが出来る。
【発明の効果】
【００１１】
本発明に係るローパーティションはパネルを上連結金具及び下連結金具を介して連結して構成される。上下連結金具の各片先端に形成される係止ツメがパネルに設けた溝に嵌合し、この状態でネジ止めして隣り合うパネルを連結することが出来る。下端の下連結金具にはアジャスターネジが取付けられて、パネルを連結すると共にパネルを適度な高さに支持することが出来る。
【００１２】
そして、パネル縦桟には樹脂製のキャップが取付けられて、隣り合うパネルとキャップを介して当接することで、連結後の位置ズレを防止することが出来、安定した連結を行うことが可能である。又、金属製の縦桟表面にキズが付くことはない。
【実施例】
【００１３】
図１は本発明に係るローパーティションを示す実施例である。(ａ)は４枚のパネル１ａ，１ｂ・・を連結してＬ型形状を成し、(ｂ)は２枚のパネル１ａ，１ｂは直線上に連結している。そして、該ローパーティションは両側パネルの先端にはブラケット２，２・・が取付けられて、転倒しないように支持され、各パネル１ａ，１ｂ・・の下端にはアジャスターネジが備わって適度な高さと成っている。
【００１４】
ローパーティションの形態は同図に示すようなＬ型、直線型に限らず、Ｔ型、十字型等を形成することが出来る。図２はパネル１を表す実施例であり、両縦桟３，３、及び複数の横桟４，４・・にて枠組みされた枠体には、ボード５，５・・が嵌っている。ここで、該ボード５の材質は特に限定せず、又該ボードの取付け構造も自由である。例えば、ボードとして透明又は半透明なポリカーボネートを使用することが出来る。そして、パネル１の下端両側にはアジャスターネジ６，６が取付けられ、該アジャスターネジ６，６を調整することでパネル１の高さ調整が可能である。
【００１５】
図３は本発明に係るローパーティションのパネル連結構造を示す実施例であり、上記パネル１ａ，１ｂは上連結金具７と下連結金具８にて連結される。上下連結金具７，８は細長い金属製板材であり、その両先端には係止ツメ９，９・・を形成している。そして、横桟４，４・・には溝１０，１０・・が設けられ、パネル上端に配置された上連結金具７及びパネル下端に配置された下連結金具８の係止ツメ９，９・・は溝１０，１０・・に嵌って係止する。
【００１６】
両パネル１ａ，１ｂに跨って配置された上連結金具７はツマミネジ１１，１１を横桟４，４に設けたネジ穴に螺合することで外れないように押えられる。又、下連結金具８は両パネル１ａ，１ｂの下端に跨って配置されると共に、アジャスターネジ６，６が該下連結金具８に形成したネジ穴に螺合してパネル１ａ，１ｂは支えられる。この場合、下連結金具８にも上記ツマミネジ１１，１１を取付けてパネル下端に固定することもある。
【００１７】
図４はパネル１ａ，１ｂの連結構造を示す断面図、平面図、及び底面図である。このように、両パネル１ａ，１ｂは上連結金具７及び下連結金具８を介して連結するだけで簡単に組み立てることが出来る。具体的な据付作業手順は自由であるが、例えば、一方のパネル１ａに下連結金具８を取付けてアジャスターネジ６にて支え、該パネル１ａから側方へ延びる下連結金具７に他のパネル１ｂを載せることが出来る。上連結金具７は後で取付けてツマミネジ１１，１１を締めることが出来る。
【００１８】
ここで、パネル１ａ，１ｂの横桟４にはＬ型ガイド１２，１２が両面側に対を成して起立し、上連結金具７及び下連結金具８はこのＬ型ガイド１２，１２・・間に嵌って取付けられる。そして、外れないようにツマミネジ１１，１１が締められ、アジャスターネジ６，６が取付けられる。両パネル１ａ，１ｂの連結部では下連結金具８にアジャスターネジ６，６が取付けられてパネル１ａ，１ｂが適当な高さに支持される。
【００１９】
しかし、上下連結金具７，８が要らないローパーティションの先端では、縦桟３の下端に取付けられるキャップ１３に埋着されているナット１４に螺合してアジャスターネジ６が取付けられる。図２に示したパネル１は、縦桟下端に設けたキャップにアジャスターネジ６が取付けられている場合である。図５はパネル１ａとパネル１ｂの突合せ側端部を示す断面拡大図である。パネル１ａ，１ｂの縦桟３，３の側端は開口していて、この開口にはキャップ１５，１５が嵌着している。
【００２０】
該キャップ１５は２本の脚１６，１６を有し、該脚１６，１６が開口に嵌って先端ツメ１７，１７が係止片１８，１８に係止して取付けられる。該キャップ１５，１５は樹脂製であって、両パネル１ａ，１ｂは該キャップ１５，１５を介して当接している。すなわち、キャップ面は縦桟３より僅かに突出している為に、該キャップ１５，１５が互いに当接してパネル１ａ，１ｂが連結される。従って、アルミ製の縦桟３，３にキズが付くことはなく、摩擦係数の高い樹脂製キャップ同士が当接することで連結するパネル１ａ，１ｂの位置ズレが防止される。
【００２１】
前記実施例はパネル１ａ，１ｂが直線状に連結したローパーティションであるが、図６はパネル１ａ，１ｂがＬ型に連結したローパーティションである。同図は底面を示しているが、一方のパネル１ａの縦桟３の側面に他方のパネル１ｂの先端が当接している。すなわち、パネル１ｂの側端キャップがパネル１ａの縦桟側面に当接した状態で連結している。
【００２２】
この場合、下連結金具１９はＬ型形状を成していて、アジャスターネジ６及びツマミネジ１１が取付けられ、そしてＬ型形状の下連結金具先端に形成している係止ツメ９，９はパネル１ａ，１ｂの溝に嵌って両パネル１ａ，１ｂが離れないように連結している。上連結金具も同じくＬ型形状を成して、その先端の係止ツメは溝に嵌り、ツマミネジにて外れないように固定される。
【００２３】
図７はパネル１ａ，１ｂ，１ｃがＴ型を成したローパーティションであり、底面を表している。パネル１ａ，１ｂの連結形態は一直線を成し、これにパネル１ｃが垂直方向に連結している。パネル１ｃは両パネル１ａ，１ｂの縦桟３，３の突合せ位置に配置され、Ｔ型をした下連結金具２０が取付けられている。この下連結金具２０には３箇所にアジャスターネジ６，６・・及びツマミネジ１１，１１・・が設けられ、Ｔ型形状に連結したパネル１ａ，１ｂ，１ｃが離れないように連結される。
【００２４】
勿論、Ｔ型の下連結金具２０の各片先端には係止ツメ９，９・・が設けられ、パネル１ａ，１ｂ，１ｃに形成している溝に嵌っている。同じく上連結金具はパネル１ａ，１ｂ，１ｃの連結部上端位置に配置されて、先端の係止ツメは溝に嵌り、そしてツマミネジにて固定されている。
【００２５】
図８は十字型形状のローパーティションであり、パネル１ａ，１ｂ，１ｃ，１ｄが十字型を成して連結している。すなわち、パネル１ａ，１ｂは一直線上に連結し、このパネル１ａ，１ｂの突合せ縦桟３，３の側面に面してパネル１ｃ，１ｄが垂直方向に連結している。この場合の下連結金具２１は十字型形状を成していて、４個のアジャスターネジ６，６・・及びツマミネジ１１，１１・・が取付けられている。
【００２６】
勿論、十字型の下連結金具２１の各片先端には係止ツメ９，９・・が設けられ、この係止ツメ９，９・・は溝に嵌っていて、上連結金具はパネル１ａ，１ｂ，１ｃ，１ｄの連結部上端位置に配置されて、先端の係止ツメは溝に嵌り、そしてツマミネジにて固定されている。
【図面の簡単な説明】
【００２７】
【図１】本発明に係るローパーティションの外観を示す具体例。
【図２】ローパーティションを構成するパネルの具体例。
【図３】パネルの連結構造。
【図４】パネルの連結構造を示す断面図。
【図５】パネルの突合せ部。
【図６】Ｌ型ローパーティション。
【図７】Ｔ型ローパーティション。
【図８】十字ローペーティション。
【符号の説明】
【００２８】
１  パネル
２  ブラケット
３  縦桟
４  横桟
５  ボード
６  アジャスター
７  上連結金具
８  下連結金具
９  係止ツメ
10  溝
11  ツマミネジ
12  Ｌ型ガイド
13  キャップ
14  ナット
15  キャップ
16  脚
17  ツメ
18  係止片
19  下連結金具
20  下連結金具
21  下連結金具
【図１】
2005188166.tif 000003
【図２】
2005188166.tif 000004
【図３】
2005188166.tif 000005
【図４】
2005188166.tif 000006
【図５】
2005188166.tif 000007
【図６】
2005188166.tif 000008
【図７】
2005188166.tif 000009
【図８】
2005188166.tif 000010